【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
オブジェクトのコンピュータ支援設計（ＣＡＤ）モデル（１０８）を管理するための方法であって、
オブジェクト（１２０、２１８）のモデル（１０８、２００）の要素（１１０、２０２、３２０）を特定するステップと、
特定された前記要素（１１０、２０２）間のＣＡＤモデル内の依存性（２２２、３２２、４０６、５０６）を特定するステップと、
前記依存性のマトリクス（１１６、３０２）を生成するステップであって、該マトリクスの行と列とが前記要素（１１０）であり、該マトリクスの値が前記要素間の依存性を示すステップと、
部分的に前記マトリクスの前記値に基づいて前記オブジェクト（１２０、２１８）の知識モデル（１５２、５００）を生成するステップであって、前記知識モデルはいくつかのフォーマットに対してＣＡＤモデルを生成するソースとして機能する汎用フォーマットであるステップと、
前記マトリクスを利用して前記オブジェクトの新しいＣＡＤモデルを生成するステップとからなり、
前記要素は１または複数の立体、曲面、平面、曲線、頂点及び面を含む、幾何学的要素であり、前記新たなＣＡＤモデルの前記要素は、最も最近に前記ＣＡＤモデルに追加された要素が前記マトリクスにおいて最も上部の行にあるように、前記マトリクスの前記行と列に、順序づけされる、方法。
【請求項２】
前記マトリクス（１１６、３０２）を使用して解析を実施するステップをさらに含み、前記解析は前記要素（１１０、２０２）間の前記依存性（２２２、３２２、４０６、５０６）、前記ＣＡＤモデル（１０８、２００）に対する設計プロセス、任意の数の異質な要素（４０８）、及び冗長な要素（４１０）のうちの少なくとも１つを特定する
請求項１に記載の方法。
【請求項３】
前記マトリクス内の前記値を用いて、前記マトリクス（１１６、３０２）を使用して前記ＣＡＤモデル（１０８、２００）の前記要素から任意の数の異質な要素（４０８）を特定するステップと、
修正したＣＡＤモデル（１３６）を形成するため前記ＣＡＤモデル（１０８、２００）の前記要素（１１０、２０２、３２０）から前記任意の数の異質な要素（４０８）を取り除くステップとをさらに含む、請求項１に記載の方法。
【請求項４】
前記マトリクス中の前記値を用いて、前記ＣＡＤモデル（１０８、２００）の任意の数の冗長な要素（４１０）を特定するステップと、
前記任意の数の特定された前記冗長な要素（４１０）を整理統合して、修正されたＣＡＤモデルを形成するステップと
をさらに含む、請求項１から３のいずれか一項に記載の方法。
【請求項５】
前記ＣＡＤモデル（１０８、２００）は、第１種のＣＡＤシステムと併用するように構成されたフォーマットであり、さらに、
第２種のＣＡＤシステムを特定するステップと、
前記マトリクス（１１６、３０２）を使用して前記オブジェクトの新しいＣＡＤモデル（１４４）を作成するステップであって、前記新しいＣＡＤモデル（１４４）は第２種のＣＡＤシステムと併用するように構成されている、ステップとを含む
請求項１〜４のいずれか一項に記載の方法。
【請求項６】
所望のシステムを特定するステップと、
前記知識モデル（１５２、５００）から前記オブジェクトの新しいＣＡＤモデル（１４４）を作成するステップをさらに含み、前記新しいＣＡＤモデル（１４４）が前記所望のシステムと併用するように構成されており、且つ前記所望のシステムがＣＡＤシステム、解析システム、有限要素解析システムのうちの一から選択されている
請求項１〜５のいずれか一項に記載の方法。
【請求項７】
前記要素（１１０、２０２、３２０）を使用して前記要素（１１０、２０２、３２０）の前記マトリクス（１１６、３０２）及び前記オブジェクト（１２０、２１８）の前記知識モデルのうちの少なくとも１つを生成する前記ステップは、
前記マトリクス内の前記値を用いて、前記要素のクラスタを特定するステップと、
前記要素（１１０、２０２、３２０）の前記クラスタに部分的に基づいて前記オブジェクトの前記知識モデル（１５２、５００）及び前記要素（１１０、２０２、３２０）の前記クラスタに部分的に基づいて前記オブジェクトのための設計プロセスフローを作成するステップを含む
請求項１〜６のいずれか一項に記載の方法。
【請求項８】
モデルマネージャ（１０６）であって、
オブジェクト（１２０、２１８）のコンピュータ支援設計（ＣＡＤ）モデル（１０８、２００）の要素を特定することと、
前記モデルマネージャ（１０６）によってモデルデータベース（１０２）の中に特定された前記要素（１１０、２０２、３２０）に対する前記ＣＡＤモデルにおける依存性（２２２、３２２、４０６、５０６）を特定することと、
前記依存性のマトリクス（１１６、３０２）であって、該マトリクスの行と列とが前記要素（１１０）であって、該マトリクス中の値が前記要素間の依存性を示す、マトリクスを生成することと、
部分的に前記マトリクスの値に基づいて前記オブジェクト（１２０、２１８）の知識モデル（１５２、５００）を生成することであって、前記知識モデルは任意の数のフォーマットに対してＣＡＤモデルを作成するソースとして機能する汎用フォーマットである、生成することと、
前記マトリクスを用いて、前記オブジェクトの新たなＣＡＤモデルを作成することであって、前記要素は１または複数の立体、曲面、平面、曲線、頂点及び面を含む幾何学的要素であり、前記新たなＣＡＤモデルの前記要素は、最も最近に前記ＣＡＤモデルに追加された要素が前記マトリクスにおいて最も上部の行にあるように、前記マトリクスの前記行と列に、順序付けされる、作成することと、を行うように構成されたモデルマネージャ（１０６）を有する、モデル管理システム。
【請求項９】
前記モデルマネージャ（１０６）がさらに前記マトリクス（１１６、３０２）を使用して解析を実施するように構成されており、前記解析が前記要素（１１０、２０２、３２０）間の前記依存性（２２２、３２２、４０６、５０６）、前記ＣＡＤモデル用の設計プロセス、任意の数の異質な要素（４０８）、及び冗長な要素（４１０）のうちの少なくとも１つを特定し、且つ前記ＣＡＤモデル（１０８、２００）が第１種のＣＡＤシステムと併用するように構成された形式であり、前記モデルマネージャがさらに第２種のＣＡＤ設計システムを特定し、前記マトリクス（１１６、３０２）を使用して新しいＣＡＤモデル（１４４）を作成するように構成されており、前記新しいＣＡＤモデル（１４４）が第２種のＣＡＤシステムと併用するように構成されている、請求項８に記載のモデル管理システム。
【請求項１０】
前記モデルマネージャ（１０６）がさらに、前記マトリクス（１１６、３０２）を使用して前記ＣＡＤモデルの前記要素（１１０、２０２、３２０）から任意の数の異質な要素を特定し、修正したＣＡＤモデル（１３６）を形成するため前記ＣＡＤモデル（１０８、２００）の前記要素（１１０、２０２、３２０）から前記任意の数の異質な要素（４０８）を取り除くため、前記マトリクス中の前記値を使用するように構成されており、且つ前記モデルマネージャ（１０６）がさらに、前記マトリクス（１１６、３０２）を使用して前記ＣＡＤモデル（１０８、２００）の冗長な要素（４１０）を特定し、特定された前記任意の数の冗長な要素（４１０）を整理統合して、前記修正したＣＡＤモデルを形成するため、前記マトリクス中の前記値を使用するように構成されている、請求項８に記載のモデル管理システム。
【手続補正２】
【補正対象書類名】明細書
【補正対象項目名】０１５１
【補正方法】変更
【補正の内容】
【０１５１】
種々の有利な実施形態の説明は、例示及び説明を目的として提供されているものであり、網羅的な説明であること、又は開示された形態に実施形態を限定することを意図していない。当業者には、多数の修正例及び変形例が明らかであろう。さらに、種々の有利な実施形態は、他の有利な実施形態に照らして別の利点を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
また、本願は以下に記載する態様を含む。
（態様１）
モデル（１０８）を管理するための方法であって、
オブジェクト（１２０、２１８）のモデル（１０８、２００）の要素（１１０、２０２、３２０）を特定するステップと、
特定された前記要素（１１０、２０２）に対する依存性（２２２、３２２、４０６、５０６）を特定するステップと、
前記要素（１１０、２０２、３２０）を使用して前記要素（１１０）のマトリクス（１１６、３０２）及び前記オブジェクト（１２０、２１８）の知識モデル（１５２、５００）のうちの少なくとも１つを生成するステップと
を含む方法。
（態様２）
前記マトリクス（１１６、３０２）を使用して解析を実施するステップをさらに含み、前記解析は前記要素（１１０、２０２）間の前記依存性（２２２、３２２、４０６、５０６）、前記モデル（１０８、２００）に対する設計プロセス、任意の数の異質な要素（４０８）、及び冗長な要素（４１０）のうちの少なくとも１つを特定する
態様１に記載の方法。
（態様３）
前記マトリクス（１１６、３０２）を使用して前記モデル（１０８、２００）の前記要素から任意の数の異質な要素（４０８）を特定するステップと、
修正したモデル（１３６）を形成するため前記モデル（１０８、２００）の前記要素（１１０、２０２、３２０）から任意の数の異質な要素（４０８）を取り除くステップと
を含む、態様１に記載の方法。
（態様４）
前記マトリクス（１１６、３０２）を使用して前記モデル（１０８、２００）の冗長な要素（４１０）を特定するステップと、
特定された前記冗長な要素（４１０）を整理統合するステップと
をさらに含む、態様１に記載の方法。
（態様５）
前記モデル（１０８、２００）は、第１種のコンピュータ支援設計システムと併用するように構成され、さらに、
第２種のコンピュータ支援設計システムを特定するステップと、
マトリクス（１１６、３０２）を使用して新しいモデル（１４４）を作成するステップとを含み、前記新しいモデル（１４４）は第２種のコンピュータ支援設計システムと併用するように構成されている
態様１〜４のいずれか一項に記載の方法。
（態様６）
所望のシステムを特定するステップと、
前記知識モデル（１５２、５００）から新しいモデル（１４４）を作成するステップをさらに含み、前記新しいモデル（１４４）が前記所望のシステムと併用するように構成されており、且つ前記所望のシステムがコンピュータ支援設計システム、解析システム、有限要素解析システムのうちの一から選択されている
態様１〜５のいずれか一項に記載の方法。
（態様７）
前記要素（１１０、２０２、３２０）を使用して前記要素（１１０、２０２、３２０）の前記マトリクス（１１６、３０２）及び前記オブジェクト（１２０、２１８）の前記知識モデルのうちの少なくとも１つを生成する前記ステップは、
前記要素（１１０、２０２、３２０）を使用する知識モデル（１５２、５００）及び前記要素（１１０、２０２、３２０）の前記マトリクス（１１６、３０２）を使用する前記要素（１１０、２０２、３２０）のための設計プロセスフローを作成するステップを含む
態様１〜６のいずれか一項に記載の方法。
（態様８）
オブジェクト（１２０、２１８）のモデル（１０８、２００）の要素を特定するように構成されたモデルマネージャ（１０６）と、
前記モデルマネージャ（１０６）に結合されたモデルデータベース（１０２）、前記モデルマネージャ（１０６）によって前記モデルデータベース（１０２）の中に特定された前記要素（１１０、２０２、３２０）に対する依存性（２２２、３２２、４０６、５０６）を特定するようにさらに構成された前記モデルマネージャ（１０６）を含み、前記モデルマネージャ（１０６）が前記要素（１１０、２０２、３２０）を使用して前記要素のマトリクス（１１６、３０２）及び前記オブジェクト（１２０、２１８）の知識モデル（１５２、５００）のうちの少なくとも１つを生成するように構成されている
モデル管理システム。
（態様９）
前記モデルマネージャ（１０６）がさらに前記マトリクス（１１６、３０２）を使用して解析を実施するように構成されており、前記解析が前記要素（１１０、２０２、３２０）間の前記依存性（２２２、３２２、４０６、５０６）、前記モデル用の設計プロセス、任意の数の異質な要素（４０８）、及び冗長な要素（４１０）のうちの少なくとも１つを特定し、且つ前記モデル（１０８、２００）が第１種のコンピュータ支援設計システムと併用するように構成されており、前記モデルマネージャがさらに第２種のコンピュータ支援設計システムを特定し、前記マトリクス（１１６、３０２）を使用して新しいモデル（１４４）を作成するように構成されており、前記新しいモデル（１４４）が第２種のコンピュータ支援設計システムと併用するように構成されている、態様８に記載のモデル管理システム。
（態様１０）
前記モデルマネージャ（１０６）がさらに、前記マトリクス（１１６、３０２）を使用して前記モデルの前記要素（１１０、２０２、３２０）から任意の数の異質な要素を特定し、修正したモデル（１３６）を形成するため前記モデル（１０８、２００）の前記要素（１１０、２０２、３２０）から前記任意の数の異質な要素（４０８）を取り除くように構成されており、且つ前記モデルマネージャ（１０６）がさらに、前記マトリクス（１１６、３０２）を使用して前記モデル（１０８、２００）の冗長な要素（４１０）を特定し、特定された前記冗長な要素（４１０）を整理統合するように構成されている、態様８に記載のモデル管理システム。